【手続補正書】
【提出日】平成20年5月27日(2008.5.27)
【手続補正１】
【補正対象書類名】明細書
【補正対象項目名】特許請求の範囲
【補正方法】変更
【補正の内容】
【特許請求の範囲】
【請求項１】  マルチメディアデータの再生単位である部分マルチメディアデータを取得する第１の手段と、
上記部分マルチメディアデータを再生する際の再生条件を提示する第２の手段と、
上記提示された再生条件に応答して入力された上記再生条件の詳細情報を取得する第３の手段と、
上記取得された詳細情報を含む再生条件と、上記取得された部分マルチメディアデータとに基づいて上記マルチメディアデータを生成する第４の手段と、を有することを特徴とするマルチメディアデータ生成装置。
【請求項２】  再生時のシーンを示すシーン情報と、上記シーン情報に対応する実体的なデータである要素データと、上記要素データの再生条件を示す再生条件データとを含む部分マルチメディアデータを再生単位とし、該部分マルチメディアデータを１又は複数個含むマルチメディアデータを生成するマルチメディアデータ生成装置であって、
上記部分マルチメディアデータを取得する第１の手段と、
上記再生条件を提示する第２の手段と、
上記提示された再生条件に応答して入力された上記再生条件の詳細情報を取得する第３の手段と、
上記取得された詳細情報を含む再生条件データと、上記取得された部分マルチメディアデータとに基づいて上記マルチメディアデータを生成する第４の手段と、を有することを特徴とするマルチメディアデータ生成装置。
【請求項３】  上記第２の手段は、上記部分マルチメディアデータを再生する際の再生条件の選択肢を提示する第５の手段を含むことを特徴とする請求項１または請求項２に記載のマルチメディアデータ生成装置。
【請求項４】  上記生成されたマルチメディアデータのデータ量と、予め定められた制限範囲とを比較する第７の手段と、
上記マルチメディアデータのデータ量が上記制限範囲を超えている場合に、上記マルチメディアデータを複数のマルチメディアデータに分割する第８の手段と、を有することを特徴とする請求項１から請求項３のいずれかの項に記載のマルチメディアデータ生成装置。
【請求項５】  上記生成されたマルチメディアデータのデータ量と、予め定められた制限範囲とを比較する第７の手段と、
上記マルチメディアデータのデータ量が上記制限範囲を超えている場合に、上記マルチメディアデータに含まれている要素データのいくつかを削除する第８の手段と、を有することを特徴とする請求項１から請求項３のいずれかの項に記載のマルチメディアデータ生成装置。
【請求項６】  再生時のシーンを示すシーン情報と、上記シーン情報に対応する実体的なデータである要素データの再生条件を示す再生条件データとを受信する手段と、
上記シーン情報に対応する要素データを取得する手段と、
上記シーン情報と、該シーン情報に対応する上記要素データとに基づいて部分マルチメディアデータを生成する手段と、
上記再生条件データと上記部分マルチメディアデータとに基づいてマルチメディアデータを生成する手段と、
上記生成されたマルチメディアデータを送信する手段と、を有することを特徴とするマルチメディアデータ生成装置。
【請求項７】  再生時のシーンを示すシーン情報と、上記シーン情報に対応する実体的なデータである要素データと、上記要素データの再生条件を示す再生条件データとを含む部分マルチメディアデータを再生単位とし、該部分マルチメディアデータを１又は複数個含むマルチメディアデータを再生するための端末装置であって、
上記再生条件を特定するための外部情報を取得する外部情報取得手段と、
上記再生条件と上記外部情報とを比較する比較手段と、
上記比較結果に基づいて、上記各シーン情報に対応する要素データを再生するか否かを決定する再生シーン決定手段と、
を有することを特徴とする端末装置。
【請求項８】  請求項６に記載のマルチメディアデータ生成装置に再生時のシーンを示すシーン情報と上記シーン情報に対応する実体的なデータである要素データの再生条件データとを送信する端末装置であって、
上記シーン情報と、上記シーン情報に対応する再生条件データとを入力する再生条件入力手段と、
上記入力されたシーン情報と再生条件データとを送信する手段と、を有することを特徴とする端末装置。
【請求項９】  マルチメディアデータの再生単位である部分マルチメディアデータを取得するステップと、
上記部分マルチメディアデータを再生する際の再生条件を提示するステップと、
上記提示された再生条件に応答して入力された上記再生条件の詳細情報を取得するステップと、
上記取得された詳細情報を含む再生条件と、上記取得された部分マルチメディアデータとに基づいて上記マルチメディアデータを生成するステップと、を有することを特徴とするマルチメディアデータ生成方法。
【請求項１０】  請求項９に記載のマルチメディアデータ生成方法の各ステップをコンピュータに実行させるためのマルチメディアデータ生成プログラム。
【手続補正２】
【補正対象書類名】明細書
【補正対象項目名】０００６
【補正方法】変更
【補正の内容】
【０００６】
【課題を解決するための手段】
本発明は、マルチメディアデータの再生単位である部分マルチメディアデータを取得する第１の手段と、上記部分マルチメディアデータを再生する際の再生条件を提示する第２の手段と、上記提示された再生条件に応答して入力された上記再生条件の詳細情報を取得する第３の手段と、上記取得された詳細情報を含む再生条件と、上記取得された部分マルチメディアデータとに基づいて上記マルチメディアデータを生成する第４の手段と、を有することを特徴とするマルチメディアデータ生成装置を提供する。
【手続補正３】
【補正対象書類名】明細書
【補正対象項目名】０００７
【補正方法】変更
【補正の内容】
【０００７】
また、本発明は、再生時のシーンを示すシーン情報と、上記シーン情報に対応する実体的なデータである要素データと、上記要素データの再生条件を示す再生条件データとを含む部分マルチメディアデータを再生単位とし、該部分マルチメディアデータを１又は複数個含むマルチメディアデータを生成するマルチメディアデータ生成装置であって、上記部分マルチメディアデータを取得する第１の手段と、上記再生条件を提示する第２の手段と、上記提示された再生条件に応答して入力された上記再生条件の詳細情報を取得する第３の手段と、上記取得された詳細情報を含む再生条件データと、上記取得された部分マルチメディアデータとに基づいて上記マルチメディアデータを生成する第４の手段と、を有することを特徴とするマルチメディアデータ生成装置を提供する。
【手続補正４】
【補正対象書類名】明細書
【補正対象項目名】０００８
【補正方法】変更
【補正の内容】
【０００８】
本発明によれば、ユーザは、提示された再生条件に付随する詳細情報を入力するという簡単な操作だけで所望の再生条件付きマルチメディアデータを生成することができる。さらに、再生単位である部分マルチメディアデータ毎に再生条件を付加することができるため、きめ細かな条件設定ができる。
また、本発明は、上記第２の手段は、上記部分マルチメディアデータを再生する際の再生条件の選択肢を提示する第５の手段を含むことを特徴とする上述のいずれかのマルチメディア生成装置を提供する。
【手続補正５】
【補正対象書類名】明細書
【補正対象項目名】０００９
【補正方法】変更
【補正の内容】
【０００９】
また、本発明は、上記生成されたマルチメディアデータのデータ量と、予め定められた制限範囲とを比較する第７の手段と、上記マルチメディアデータのデータ量が上記制限範囲を超えている場合に、上記マルチメディアデータを複数のマルチメディアデータに分割する第８の手段と、を有することを特徴とする上述のいずれかのマルチメディアデータ生成装置を提供する。
また、本発明は、上記生成されたマルチメディアデータのデータ量と、予め定められた制限範囲とを比較する第７の手段と、上記マルチメディアデータのデータ量が上記制限範囲を超えている場合に、上記マルチメディアデータに含まれている要素データのいくつかを削除する第８の手段と、を有することを特徴とする上述のいずれかのマルチメディアデータ生成装置を提供する。
【手続補正６】
【補正対象書類名】明細書
【補正対象項目名】００１１
【補正方法】変更
【補正の内容】
【００１１】
また、本発明は、再生時のシーンを示すシーン情報と、上記シーン情報に対応する実体的なデータである要素データの再生条件を示す再生条件データとを受信する手段と、上記シーン情報に対応する要素データを取得する手段と、上記シーン情報と、該シーン情報に対応する上記要素データとに基づいて部分マルチメディアデータを生成する手段と、上記再生条件データと上記部分マルチメディアデータとに基づいてマルチメディアデータを生成する手段と、上記生成されたマルチメディアデータを送信する手段と、を有することを特徴とするマルチメディアデータ生成装置を提供する。
【手続補正７】
【補正対象書類名】明細書
【補正対象項目名】００１３
【補正方法】変更
【補正の内容】
【００１３】
また、本発明は、再生時のシーンを示すシーン情報と、上記シーン情報に対応する実体的なデータである要素データと、上記要素データの再生条件を示す再生条件データとを含む部分マルチメディアデータを再生単位とし、該部分マルチメディアデータを１又は複数個含むマルチメディアデータを再生するための端末装置であって、上記再生条件を特定するための外部情報を取得する外部情報取得手段と、上記再生条件と上記外部情報とを比較する比較手段と、上記比較結果に基づいて、上記各シーン情報に対応する要素データを再生するか否かを決定する再生シーン決定手段と、を有することを特徴とする端末装置を提供する。
【手続補正８】
【補正対象書類名】明細書
【補正対象項目名】００１４
【補正方法】変更
【補正の内容】
【００１４】
また、本発明は、上記マルチメディアデータ生成装置に再生時のシーンを示すシーン情報と上記シーン情報に対応する実体的なデータである要素データの再生条件データとを送信する端末装置であって、上記シーン情報と、上記シーン情報に対応する再生条件データとを入力する再生条件入力手段と、上記入力されたシーン情報と再生条件データとを送信する手段と、を有することを特徴とする端末装置を提供する。
【手続補正９】
【補正対象書類名】明細書
【補正対象項目名】００１５
【補正方法】変更
【補正の内容】
【００１５】
また、本発明は、マルチメディアデータの再生単位である部分マルチメディアデータを取得するステップと、上記部分マルチメディアデータを再生する際の再生条件を提示するステップと、上記提示された再生条件に応答して入力された上記再生条件の詳細情報を取得するステップと、上記取得された詳細情報を含む再生条件と、上記取得された部分マルチメディアデータとに基づいて上記マルチメディアデータを生成するステップと、を有することを特徴とするマルチメディアデータ生成方法を提供する。